(57)【要約】【課題】開店処理に要する時間があまり長くならないようにする。【解決手段】販売データ処理装置は、収納されている貨幣の枚数を計数する計数手段と、前記計数手段によって計数された各貨幣の収納枚数と、各取引の入出金情報に基づいた各貨幣の枚数である理論枚数とを比較し、各貨幣の収納枚数が正しいかを精査する精査手段と、前記計数手段によって計数された各貨幣の収納枚数が、各貨幣についてあらかじめ定められた開店時における収納枚数に関する所定条件を満たしているかを判定する判定手段とを備え、前記精査手段は、前記判定手段によって各貨幣の収納枚数が前記所定条件を満たしていると判定された後に、前記所定条件を満たしていると判定された各貨幣の収納枚数と、各貨幣の前記理論枚数とを比較し、各貨幣の収納枚数が正しいかを精査する。【選択図】図１
2020086702.tif 000002
【特許請求の範囲】
【請求項１】
収納されている貨幣の枚数を計数する計数手段と、
前記計数手段によって計数された各貨幣の収納枚数と、各取引の入出金情報に基づいた各貨幣の枚数である理論枚数とを比較し、各貨幣の収納枚数が正しいかを精査する精査手段と、
前記計数手段によって計数された各貨幣の収納枚数が、各貨幣についてあらかじめ定められた開店時における収納枚数に関する所定条件を満たしているかを判定する判定手段と
を備え、
前記精査手段は、
前記判定手段によって各貨幣の収納枚数が前記所定条件を満たしていると判定された後に、前記所定条件を満たしていると判定された各貨幣の収納枚数と、各貨幣の前記理論枚数とを比較し、各貨幣の収納枚数が正しいかを精査する
ことを特徴とする販売データ処理装置。
【請求項２】
各貨幣の収納枚数を調整可能な調整手段
を備え、
前記調整手段は、
各貨幣の収納枚数が前記所定条件を満たすように収納枚数を調整可能であり、
前記精査手段は、
前記調整手段による調整後の各貨幣の収納枚数と、各貨幣の前記理論枚数とを比較し、各貨幣の収納枚数が正しいかを精査する
ことを特徴とする請求項１に記載の販売データ処理装置。
【請求項３】
媒体上のコード情報を読み取る読取手段
を備え、
前記調整手段は、
前記読取手段が読み取った前記コード情報に基づいて、貨幣の投入を受け付けることにより、または、貨幣を放出することにより、各貨幣の収納枚数が前記所定条件を満たすように収納枚数を調整可能であることを特徴とする請求項２に記載の販売データ処理装置。
【請求項４】
販売データ処理装置としてのコンピュータを機能させるプログラムであって、
収納されている貨幣の枚数を計数する計数手段、
前記計数手段によって計数された各貨幣の収納枚数と、各取引の入出金情報に基づいた各貨幣の枚数である理論枚数とを比較し、各貨幣の収納枚数が正しいかを精査する精査手段、
前記計数手段によって計数された各貨幣の収納枚数が、各貨幣についてあらかじめ定められた開店時における収納枚数に関する所定条件を満たしているかを判定する判定手段
として機能させ、
前記精査手段は、
前記判定手段によって各貨幣の収納枚数が前記所定条件を満たしていると判定された後に、前記所定条件を満たしていると判定された各貨幣の収納枚数と、各貨幣の前記理論枚数とを比較し、各貨幣の収納枚数が正しいかを精査する
ことを特徴とするプログラム。
【請求項５】
販売データ処理装置における精査方法であって、
収納されている貨幣の枚数を計数する計数ステップと、
前記計数ステップによって計数された各貨幣の収納枚数と、各取引の入出金情報に基づいた各貨幣の枚数である理論枚数とを比較し、各貨幣の収納枚数が正しいかを精査する精査ステップと、
前記計数ステップによって計数された各貨幣の収納枚数が、各貨幣についてあらかじめ定められた開店時における収納枚数に関する所定条件を満たしているかを判定する判定ステップと
を有し、
前記精査ステップは、
前記判定ステップによって各貨幣の収納枚数が前記所定条件を満たしていると判定された後に、前記所定条件を満たしていると判定された各貨幣の収納枚数と、各貨幣の前記理論枚数とを比較し、各貨幣の収納枚数が正しいかを精査する
ことを特徴とする精査方法。
【発明の詳細な説明】
【技術分野】
【０００１】
本発明は、販売データ処理装置、プログラム及び精査方法に関する。
【背景技術】
【０００２】
従来、釣銭釣札機（単に釣銭機とも称する。特許文献１参照）を備えるＰＯＳレジスタが知られている。釣銭釣札機を備えるＰＯＳレジスタにおいては、一般に、開店処理（閉店処理、精算業務処理などともいう）において、釣銭精査（自動精算ともいう）として、閉店後や開店前などに釣銭釣札機内に収納されている現金在高（現金有高、実在高、実有高などともいう）が、計算上の理論在高（理論有高、論理在高、論理有高などともいう）と一致しているかを確認し、確認後に、残置金確認として、開店時における、釣銭釣札機内の各貨幣の枚数が基準枚数となるかを確認している。
【先行技術文献】
【特許文献】
【０００３】
【特許文献１】特開２０１１−１１３５３２号公報
【発明の概要】
【発明が解決しようとする課題】
【０００４】
しかしながら、開店処理に要する時間が相当な長くなる場合があるという問題がある。例えば、残置金確認において基準枚数とならない場合、基準枚数となるように調整（金庫などから貨幣を持ち出して釣銭釣札機に補充等）し、再度、釣銭精査を行うため、開店処理が完了する迄、相当な時間を要してしまうという問題がある。
【０００５】
本発明は上記の点に鑑みてなされたものであり、その目的は、開店処理に要する時間があまり長くならないようにする技術を提供することにある。
【課題を解決するための手段】
【０００６】
一態様である販売データ処理装置は、収納されている貨幣の枚数を計数する計数手段と、前記計数手段によって計数された各貨幣の収納枚数と、各取引の入出金情報に基づいた各貨幣の枚数である理論枚数とを比較し、各貨幣の収納枚数が正しいかを精査する精査手段と、前記計数手段によって計数された各貨幣の収納枚数が、各貨幣についてあらかじめ定められた開店時における収納枚数に関する所定条件を満たしているかを判定する判定手段とを備え、前記精査手段は、前記判定手段によって各貨幣の収納枚数が前記所定条件を満たしていると判定された後に、前記所定条件を満たしていると判定された各貨幣の収納枚数と、各貨幣の前記理論枚数とを比較し、各貨幣の収納枚数が正しいかを精査することを特徴とする。
当該構成によれば、開店処理に要する時間があまり長くならないようになる。
【０００７】
上記販売データ処理装置は、各貨幣の収納枚数を調整可能な調整手段を備え、前記調整手段は、各貨幣の収納枚数が前記所定条件を満たすように収納枚数を調整可能であり、前記精査手段は、前記調整手段による調整後の各貨幣の収納枚数と、各貨幣の前記理論枚数とを比較し、各貨幣の収納枚数が正しいかを精査してもよい。
当該構成によれば、開店処理に要する時間があまり長くならないようになる。
【０００８】
上記販売データ処理装置は、媒体上のコード情報を読み取る読取手段を備え、前記調整手段は、前記読取手段が読み取った前記コード情報に基づいて、貨幣の投入を受け付けることにより、または、貨幣を放出（排出）することにより、各貨幣の収納枚数が前記所定条件を満たすように収納枚数を調整可能であってもよい。
当該構成によれば、開店処理に要する時間があまり長くならないようになる。
【０００９】
他の態様である販売データ処理装置は、収納されている貨幣の枚数を計数する計数手段と、前記計数手段によって計数された各貨幣の収納枚数と、各取引の入出金情報に基づいた各貨幣の枚数である理論枚数とを比較し、各貨幣の収納枚数が正しいかを精査する精査手段と、前記計数手段によって計数された各貨幣の収納枚数が、各貨幣についてあらかじめ定められた開店時における収納枚数に関する所定条件を満たしているかを判定する判定手段とを備え、前記計数手段によって計数された各貨幣の収納枚数が前記所定条件を満たしているかを前記判定手段が判定した後に、前記判定手段によって前記所定条件を満たしていると判定された各貨幣の収納枚数と各貨幣の前記理論枚数と比較し各貨幣の収納枚数が正しいかを前記精査手段が精査する第１動作モードと、前記計数手段によって計数された各貨幣の収納枚数と各貨幣の前記理論枚数と比較し各貨幣の収納枚数が正しいかを前記精査手段が精査した後に、前記精査手段によって正しいと精査された各貨幣の収納枚数が前記所定条件を満たしているかを前記判定手段が判定する第２動作モードとを有することを特徴とする。
当該構成によれば、開店処理に要する時間があまり長くならないようになる。
【００１０】
他の態様であるプログラムは、販売データ処理装置としてのコンピュータを機能させるプログラムであって、収納されている貨幣の枚数を計数する計数手段、前記計数手段によって計数された各貨幣の収納枚数と、各取引の入出金情報に基づいた各貨幣の枚数である理論枚数とを比較し、各貨幣の収納枚数が正しいかを精査する精査手段、前記計数手段によって計数された各貨幣の収納枚数が、各貨幣についてあらかじめ定められた開店時における収納枚数に関する所定条件を満たしているかを判定する判定手段として機能させ、前記精査手段は、前記判定手段によって各貨幣の収納枚数が前記所定条件を満たしていると判定された後に、前記所定条件を満たしていると判定された各貨幣の収納枚数と、各貨幣の前記理論枚数とを比較し、各貨幣の収納枚数が正しいかを精査することを特徴とするプログラムである。
【００１１】
他の態様である精査方法は、販売データ処理装置における精査方法であって、収納されている貨幣の枚数を計数する計数ステップと、前記計数ステップによって計数された各貨幣の収納枚数と、各取引の入出金情報に基づいた各貨幣の枚数である理論枚数とを比較し、各貨幣の収納枚数が正しいかを精査する精査ステップと、前記計数ステップによって計数された各貨幣の収納枚数が、各貨幣についてあらかじめ定められた開店時における収納枚数に関する所定条件を満たしているかを判定する判定ステップとを有し、前記精査ステップは、前記判定ステップによって各貨幣の収納枚数が前記所定条件を満たしていると判定された後に、前記所定条件を満たしていると判定された各貨幣の収納枚数と、各貨幣の前記理論枚数とを比較し、各貨幣の収納枚数が正しいかを精査することを特徴とする精査方法である。
【発明の効果】
【００１２】
本発明によれば、開店処理に要する時間があまり長くならないようになる。
【図面の簡単な説明】
【００１３】
【図１】本実施形態おけるＰＯＳシステムの構成を示した概略図である。
【図２】ＰＯＳレジスタの外観図の一例である。
【図３】ＰＯＳレジスタの電気回路の構成を示すブロック図の一例である。
【図４】監視対象の各装置の種々の状態を報知する画面の一例である。
【図５】精算業務処理を実行させる装置の指定する画面の一例である。
【図６】監視対象の各装置の精算業務処理の状態を報知する画面の一例である。
【図７】表示内容を説明する説明図である。
【図８】精算業務処理の動作の一例を示すフローチャートである。
【図９】精算レポートの一例である。
【図１０】精算業務処理の工程について説明する説明図である。
【図１１】精算業務処理の工程の表示に係る表示態様の一例である。
【図１２】精査モードを指定する画面の一例である。
【図１３】精算業務処理の他の動作の一例を示すフローチャートである。
【発明を実施するための形態】
【００１４】
以下、本発明の一実施形態を、図面を参照して説明する。図１は、本発明の一実施形態によるＰＯＳシステム１の構成図の一例である。ＰＯＳシステム１は、図１に示すように、Ｎ台のＰＯＳレジスタ２−１、ＰＯＳレジスタ２−２、…、ＰＯＳレジスタ２−Ｎ、監視装置（管理装置とも称する）３を含んで構成される。各装置は、ＬＡＮを介して接続されている。また、当該ＬＡＮ上には、上記に加えて、ストアコントローラ４も接続されている。ＰＯＳレジスタ２−１、ＰＯＳレジスタ２−２、…、ＰＯＳレジスタ２−Ｎの夫々を特に区別しない場合にはＰＯＳレジスタ２と総称する。
【００１５】
ＰＯＳレジスタ２は、主に、購入される商品の登録を行う登録処理と、主に、登録された商品の代金決済を行う精算処理（会計処理、決済処理とも称する）とを実行するための装置である。即ち、ＰＯＳレジスタ２は、主に登録処理を行う登録装置の機能と主に精算処理を行う精算装置の機能とを兼ね備えた装置である。
【００１６】
監視装置３（例えば、パーソナルコンピュータ）は、例えば、各ＰＯＳレジスタ２の動作状況を監視する。例えば、監視装置３は、夫々のＰＯＳレジスタ２が精算処理中であるか否かや、夫々のＰＯＳレジスタ２において未精算取引（精算処理が未完了である取引）が存在するか否かなどを監視する。監視装置３の詳細は後述する。
【００１７】
ストアコントローラ４（例えば、サーバ）は、例えば、外部（例えば、本部に設置されたサーバ）から商品マスタを受信して記憶する。商品マスタは、各商品の商品識別情報（例えばＪＡＮコード）、商品名称、販売価格などの商品情報を格納（保持）するファイルである。また、ストアコントローラ４は、ＰＯＳレジスタ２によって処理（生成）された取引情報を外部に送信する。
【００１８】
図２は、ＰＯＳシステム１に含まれるＰＯＳレジスタ２の外観図の一例である。図３は、ＰＯＳレジスタ２の電気回路の構成を示すブロック図の一例である。図３において、ＣＰＵ１１はＰＯＳレジスタ２の全体を制御するＣＰＵであり、図示するように他の構成要素それぞれと接続されている。ＣＰＵ１１の動作の詳細は後述する。
【００１９】
図３において、ＲＯＭ１２は、種々の情報を記憶する。ＲＯＭ１２は、例えば、ＣＰＵ１１が実行するプログラムを記憶する。ＲＡＭ１３は、種々の情報を記憶する。ＲＡＭ１３は、例えば、ＣＰＵ１１によってＲＯＭ１２から読み出された情報（例えば、上記プログラム）、ＣＰＵ１１によって処理された情報等を記憶する。ハードディスク２２は、種々の情報を記憶する。ハードディスク２２は、例えば、ストアコントローラ４から取得した情報（例えば、商品マスタ）、ＣＰＵ１１によって処理された情報等を記憶する。
【００２０】
図２及び図３において、店員用表示部１４は、ＣＰＵ１１の制御に従って店員向けに情報を表示する表示部として機能するほか、店員から入力操作を受け付ける操作部として機能する（例えばタッチパネル）。キー操作部１５は、商品登録の完了入力や精算時においてお客から受け取った預かり金額などの数字データ入力等を行うためのものである。客用表示部１６は、ＣＰＵ１１の制御に従ってお客向けに情報を表示する。
【００２１】
図２及び図３において、釣銭釣札機（自動釣銭釣札機）１７は、自身が備える収納部への貨幣（金銭）の入出金を制御する。ＰＯＳレジスタ２と釣銭釣札機１７との関係について、図２、図３に示す例では、釣銭釣札機１７はＰＯＳレジスタ２に内蔵されているが、釣銭釣札機１７はＰＯＳレジスタ２に接続されていてもよい。なお、ＰＯＳレジスタ２と釣銭釣札機１７との関係について、ＰＯＳレジスタ２に内蔵された釣銭釣札機１７とＰＯＳレジスタ２に接続されている釣銭釣札機１７とを特に区別しない場合には、ともに、ＰＯＳレジスタ２の釣銭釣札機１７とも称する場合がある。また、釣銭釣札機１７を内蔵するＰＯＳレジスタ２と釣銭釣札機１７を接続しているＰＯＳレジスタ２とを特に区別しない場合には、ともに、釣銭釣札機１７を内蔵等するＰＯＳレジスタ２とも称する場合がある。
【００２２】
釣銭釣札機１７は、ＰＯＳレジスタ２において、登録された商品の代金を現金にて決済するときに使用される。釣銭釣札機１７は、貨幣（紙幣）を投入するための紙幣投入口（非図示）、貨幣（硬貨）を投入するための硬貨投入口、貨幣（紙幣）を放出するための紙幣放出口、貨幣（硬貨）を放出するための硬貨放出口、投入又は放出される貨幣を計数する計数部、投入口又は放出口と収納部の間の貨幣の搬送機構などを有する。なお、紙幣投入口及び硬貨投入口は、預り金投入口とも称される。紙幣放出口及び硬貨放出口は、釣銭放出口とも称される。なお、紙幣投入口と紙幣放出口は共通であってもよく、また、硬貨投入口と硬貨放出口は共通であってもよい。
【００２３】
釣銭釣札機１７は、ＣＰＵ１１の制御に従って、釣銭投入口された貨幣を計数し、収納部に収納する。例えば、釣銭釣札機１７は、各取引の会計のため、お客から預かった貨幣を計数し、収納部に収納する。また例えば、釣銭釣札機１７は、釣銭ニアエンドの解消のため、店員が投入した貨幣を計数し、収納部に収納する。なお、釣銭ニアエンドとは、収納部内の貨幣がゼロに近い枚数である状態である。
【００２４】
釣銭釣札機１７は、ＣＰＵ１１の制御に従って、放出する貨幣を計数し、釣銭放出口から放出する。例えば、釣銭釣札機１７は、各取引の会計のため、釣り銭とする貨幣を計数し、釣銭放出口から放出する。また例えば、釣銭釣札機１７は、釣銭ニアフルの解消のため、放出する貨幣を計数し、収納部に収納する。なお、釣銭ニアフルとは、収納部内の貨幣が収納許容限度枚数に近い枚数である状態である。
【００２５】
なお、釣銭ニアエンドや釣銭ニアフルの解消等のため、複数のＰＯＳレジスタ２間において貨幣を移動させることをキャッシュリサイクルと称する場合がある。なお、バックヤード等に配置され、貨幣を収納する装置（準備金管理装置）を備える場合には、準備金管理装置とＰＯＳレジスタ２間においてもキャッシュリサイクルが行われる。
【００２６】
釣銭釣札機１７は、ＣＰＵ１１の制御に従って、貨幣投入時には、金種毎の投入枚数（入金枚数）を計数し、計数結果に基づいて金種毎の理論在高を更新（加算）し、貨幣放出時には、金種毎の放出枚数（出金枚数）を計数し、計数結果に基づいて理論在高を更新（減算）する。理論在高は、各貨幣の理論上（計算上）の枚数、又は、各貨幣の理論上の枚数に基づく金額（貨幣毎の金額、若しくは、全貨幣を合算した金額）である。理論在高は、現在枚数情報（又は、枚数管理情報）とも称される。
【００２７】
但し、「精算業務処理（後述）」の一工程である「釣銭精査（後述）」後の入出金（補正）の場合には、理論在高を更新しない。つまり、商品登録に基づく入出金や、キャッシュリサイクルによる入出金や、「精算業務処理（後述）」の一工程である「残置金確認（後述）」後の入出金（調整）の場合には、理論在高を更新するが、「精算業務処理（後述）」の一工程である「釣銭精査（後述）」後の入出金（補正）の場合には、理論在高を更新しない。
【００２８】
つまり、理論在高は、上述したように計算に基づくものであるため、閉店後や開店前において実際に収納部に収納されている在高と一致していない虞がある。そこで、閉店後や開店前に行われる「精算業務処理（後述）」の一工程である「釣銭精査（後述）」において実際に収納部に収納されている貨幣を現金在高として計数し（改めて計数し直し）、現金在高と理論在高とが一致しているか否かを確認している。一致しない場合には、「理論在高」と一致するように現金在高の方を増減させる（補正として貨幣を投入又は放出する）ため、基準となる理論在高については更新しないようにしている。
【００２９】
また、釣銭釣札機１７は、貨幣の投入、放出に際し、金種毎の投入枚数などの情報を含む入金履歴情報と、金種毎の放出枚数などの情報を含む出金履歴情報とを記憶する。
【００３０】
理論在高、入金履歴情報、出金履歴情報は、釣銭釣札機１７の内部（例えば、釣銭釣札機１７が備える記憶領域（非図示））に記憶してもよいし、釣銭釣札機１７の外部（例えば、ハードディスク２２）に記憶してもよい。
【００３１】
また、上述したように、釣銭釣札機１７は、ＣＰＵ１１の制御に従って、精算業務処理を実行する。精算業務処理は、主に、閉店後（又は開店前）等の営業時間外に実行する処理である（営業時間内であっても一部または全部の装置について精算業務処理を実行してもよい）。精算業務処理は、閉店処理、開店処理などとも称する場合がある。
【００３２】
本実施形態では、精算業務処理は、残置金確認（残置金確認処理）、釣銭精査（釣銭精査処理）、売上金回収（売上金回収処理）、開設（開設処理）の各工程（各処理）を含む。精算業務処理は、閉店処理、開店処理などとも称する場合がある。
【００３３】
残置金確認（残置金確認処理）は、収納部内の残置金額を確認等する工程（処理）である。残置金確認処理は、例えば、収納部内に残置させる各貨幣の枚数（売上金回収後の各貨幣の残置枚数）が、あらかじめ定められている基準枚数以上となるかを確認（判断）する処理である。
【００３４】
なお、売上金回収後の各貨幣の残置枚数が基準枚数以上となるかを確認するのに際し、現在の収納部内の各貨幣の枚数を把握する必要があるが、本実施形態では釣銭精査に先立って残置金確認を行うようにしているため（釣銭精査において得られる現金在高が残置金確認の段階において未だ得られていないため）、現在の収納部内の各貨幣の枚数として理論在高を使用する。なお、本実施形態による態様（精査モードＡ）の場合には、現在の収納部内の各貨幣の枚数としては理論在高を使用するが、本実施形態による他の態様（精査モードＢ）の場合には、残置金確認に先立って釣銭精査を行うようにしているため（釣銭精査において得られる現金在高が残置金確認の段階において既に得られているため）、現在の収納部内の各貨幣の枚数として現金在高を使用してもよい。
【００３５】
基準枚数以上となると判断（残置金ＯＫ）した場合には、確認完了として当該処理を終了し、基準枚数未満となると判断（残置金ＮＧ）した場合には、貨幣を調整した後（基準枚数以上となるように貨幣の投入を受け付けたのち）、再度確認し（又は確認せずに）、確認完了（調整完了）として当該処理を終了する。なお、貨幣の投入は、釣銭ニアエンドの解消の場合と同様、入金伝票を用いるようにしてもよい。また、調整による貨幣の投入においては、上述したように、理論在高を更新する。
【００３６】
なお、一般に、翌営業の運用開始時のために収納部内に残しておく貨幣の枚数は、営業時間内にて管理（監視）する釣銭ニアエンドの貨幣の枚数よりも多いため、上述の基準枚数は、釣銭ニアエンドを管理する閾値の枚数よりも多い枚数である。従って、例えば、主に営業時間内に行われる釣銭ニアエンドに関しては、５００円玉を収納する収納部内の５００円玉の枚数が第１閾値（例えば、２０枚）未満になった場合に５００円玉を補充すべき旨を報知するようにし、主に営業時間外に行われる精算業務処理の残置金確認に関しては、５００円玉を収納する収納部内の５００円玉の枚数が第１閾値（例えば、２０枚）よりも値が大きい第２閾値（例えば、４０枚）未満である場合に５００円玉を補充すべき旨を報知する。他の貨幣においても同様である。また、貨幣の種類毎に、閾値（第１閾値、第２閾値）を異ならせてもよい。
【００３７】
釣銭精査（釣銭精査処理）は、収納部内の収納金額が正しいか否かを精査する工程（処理）である。釣銭精査処理は、例えば、収納部内に収納している各貨幣を実際に計数し（改めて計数し直し）計数して得られた現金在高（各貨幣の実際の収納枚数）と、理論在高（各貨幣の理論上の収納枚数）とを比較し、精査する処理である。つまり、上述したように、現金在高と理論在高とが一致しない虞があるため、現金在高と理論在高とが一致するかを確認している。一致しない場合には、理論在高と一致するように現金在高を補正する（貨幣を投入又は放出する）。なお、補正する際には、釣銭ニアエンドや釣銭ニアフルの解消の場合と同様、入金伝票や出金伝票を用いるようにしてもよいが、上述したように、理論在高については更新しない。
【００３８】
売上金回収（売上金回収処理）は、店員が実際に収納部から売上金として貨幣を回収するための処理である。例えば、売上金回収を指示するメッセージを表示する処理、収納部からの貨幣の回収を制御する処理（電気的、構造的な制御等）を含む、処理である。
【００３９】
開設（開設処理）は、各種情報（上述迄の全処理が完了した旨の情報、売上情報等）をストアコントローラ４に送信するなどして、開店待ちの状態にする処理である。開設（開設処理）は、閉設（閉設処理）と称する場合もある。
【００４０】
釣銭釣札機１７を内蔵等するＰＯＳレジスタ２は、当該ＰＯＳレジスタ２における操作（例えば、キー操作部１５の操作）に応じて釣銭釣札機１７による精算業務処理を実行してもよいし、監視装置３などの他の装置からの命令に応じて釣銭釣札機１７による精算業務処理を実行してもよい。また、精算業務処理の実行に条件を設定してもよい。例えば、精算業務処理を行う従業員（担当者）が特定された場合に精算業務処理の実行を許可してもよいし、特定された従業員に精算業務処理を実行する権限が与えられている場合に精算業務処理の実行を許可してもよい。
【００４１】
図２及び図３において、スキャナ部１８は、コード情報（バーコード）を読み取る装置である。スキャナ部１８は、読み取ったデータをＣＰＵ１１へ供給する。例えば、スキャナ部１８は、商品に貼付されたコード情報（例えば、ＪＡＮコード）を読み取り、そのデータをＣＰＵ１１へ供給する。また例えば、スキャナ部１８は、従業員カードに印刷されたコード情報を読み取り、そのデータをＣＰＵ１１へ供給する。
【００４２】
図２及び図３において、印刷部１９は、ＣＰＵ１１の制御に従って印刷物を発行する。例えば、印刷部１９は、精算処理の完了後、買上商品の明細情報等を印刷媒体に印刷してレシートとして発行する。
【００４３】
図３において、通信部２０は、ＣＰＵ１１の制御に従ってＬＡＮを介して外部と通信する。具体的には、通信部２０は、適宜、ストアコントローラ４から商品マスタを受信する。また、通信部２０は、精算処理の完了後、ストアコントローラ４に取引情報を送信する。
【００４４】
また、通信部２０は、処理状況を監視装置３に送信する。例えば、通信部２０は、登録処理の完了時に登録処理の完了を示す通知を監視装置３に送信し、精算処理の完了時に精算処理の完了を示す通知を監視装置３に送信する。なお、通信部２０は、上記に加え、登録処理の開始を示す通知や精算処理の開始を示す通知を監視装置３に送信してもよい。また、監視装置３に代えて又は加えて、他のＰＯＳレジスタ２に上述のような情報を送信してもよい。
【００４５】
また、通信部２０は、当該ＰＯＳレジスタ２の釣銭釣札機１７の理論在高を他の装置に送信する。具体的には、通信部２０は、当該ＰＯＳレジスタ２の釣銭釣札機１７の理論在高を監視装置３に送信する。例えば、あるＰＯＳレジスタ２の通信部２０は、当該ＰＯＳレジスタ２の理論在高が更新された場合に、更新後の理論在高を監視装置３に送信する。また例えば、あるＰＯＳレジスタ２の通信部２０は、上記に代えて又は加えて、理論在高要求（理論在高の送信を求める要求）を監視装置３から受信した場合に、受信時の理論在高を監視装置３に送信（応答）してもよい。換言すれば、監視装置３は、理論在高が更新されたＰＯＳレジスタ２から更新後の理論在高を受信し、また、ＰＯＳレジスタ２に理論在高要求を送信し、当該ＰＯＳレジスタ２から理論在高を受信してもよい。
【００４６】
また、通信部２０は、監視装置３に理論在高を送信することに代えて又は加えて、他のＰＯＳレジスタ２に理論在高を送信してもよい。即ち、あるＰＯＳレジスタ２の通信部２０は、当該ＰＯＳレジスタ２の理論在高が更新された場合に、更新後の理論在高を他のＰＯＳレジスタ２に送信してもよいし、理論在高要求を他のＰＯＳレジスタ２から受信した場合に、受信時の理論在高を当該他のＰＯＳレジスタ２に送信（応答）してもよい。換言すれば、あるＰＯＳレジスタ２は、理論在高が更新された他のＰＯＳレジスタ２から更新後の理論在高を受信し、また、他のＰＯＳレジスタ２に理論在高要求を送信し、当該他のＰＯＳレジスタ２から理論在高を受信してもよい。
【００４７】
また、通信部２０は、監視装置３や他のＰＯＳレジスタ２に理論在高を送信することに代えて又は加えて、ストアコントローラ４に理論在高を送信してもよい。即ち、あるＰＯＳレジスタ２の通信部２０は、当該ＰＯＳレジスタ２の理論在高が更新された場合に、更新後の理論在高をストアコントローラ４に送信してもよいし、理論在高要求をストアコントローラ４から受信した場合に、受信時の理論在高をストアコントローラ４に送信（応答）してもよい。換言すれば、ストアコントローラ４は、理論在高が更新されたＰＯＳレジスタ２から更新後の理論在高を受信し、また、ＰＯＳレジスタ２に理論在高要求を送信し、当該ＰＯＳレジスタ２から理論在高を受信してもよい。
【００４８】
また、通信部２０は、当該ＰＯＳレジスタ２の釣銭釣札機１７の入金履歴情報や出金履歴情報を監視装置３や他のＰＯＳレジスタ２やストアコントローラ４に送信してもよい。例えば、通信部２０は、要求に応じて、入金履歴情報や出金履歴情報を監視装置３などに送信してもよい。
【００４９】
また、通信部２０は、当該ＰＯＳレジスタ２（自装置）の釣銭釣札機１７の貨幣がゼロに近い枚数（釣銭ニアエンド）である旨を報知する情報（釣銭ニアエンド情報）や、当該ＰＯＳレジスタ２の釣銭釣札機１７の貨幣が収納許容限度枚数に近い枚数（釣銭ニアフル）である旨を報知する情報（釣銭ニアフル情報）を監視装置３や他のＰＯＳレジスタ２やストアコントローラ４に送信してもよい。
【００５０】
なお、ＰＯＳレジスタ２は、ＬＡＮを介して外部と通信する通信部２０に加えて、近距離無線通信（例えば、ブルートゥース、ＲＦＩＤ、赤外線通信）によって外部と通信する通信部（非図示）を備えてもよい。
【００５１】
また、ＰＯＳレジスタ２は、撮像部（カメラ等）、音声出力部（スピーカ等）、カード読取部等を備えてもよい。
【００５２】
続いて、監視装置３について説明する。監視装置３は、少なくとも、当該監視装置３全体を制御する制御部（ＣＰＵ）と、種々の情報を記憶する記憶部（ＲＯＭ、ＲＡＭ）と、種々の情報を表示する表示部（ディスプレイ）と、外部と通信する通信部とを備える。
【００５３】
監視装置３は、ＰＯＳレジスタ２による処理状況（例えば精算状況）を表示部に表示する。例えば、監視装置３は、各ＰＯＳレジスタ２から送信される通知（例えば、登録処理の完了を示す通知、精算処理の開始を示す通知、精算処理の完了を示す通知）などに基づいて、夫々のＰＯＳレジスタ２が精算処理中であるか否か、あるいは、夫々のＰＯＳレジスタ２において未精算取引が存在するか否かなどを表示する。
【００５４】
また、上述したように、監視装置３は、ＰＯＳレジスタ２から理論在高を受信してもよいが、監視装置３がＰＯＳレジスタ２から理論在高を受信する態様では、監視装置３は、ＰＯＳレジスタ２から受信した理論在高を表示してもよい。同様に、監視装置３がＰＯＳレジスタ２から入金履歴情報や出金履歴情報を受信する態様では、監視装置３は、ＰＯＳレジスタ２から受信した入金履歴情報や出金履歴情報を表示してもよい。
【００５５】
続いて、精算業務処理について説明する。なお、以下の説明において、監視装置３は、ＰＯＳレジスタ２−１〜ＰＯＳレジスタ２−８の８台を監視しているものとする。
【００５６】
図４〜図５は、監視装置３に表示される画面例である。監視装置３は、精算業務処理を実行させる装置の指定を店員から受け付ける。例えば、図４に示すような画面を表示しているときに、ボタン「メインメニュー」からの操作に応じて、図５（ａ）に示すような装置指定画面を表示し、当該装置指定画面上において精算業務処理を実行させる装置の指定を受け付ける。
【００５７】
図４の画面は、監視対象の各装置の種々の状態（例えば、釣銭ニアエンドである旨、釣銭ニアフル、領収証への捺印を要する旨等）を報知する画面である。なお、図４における、ＰＯＳ＃１〜＃８は、ＰＯＳレジスタ２−１〜ＰＯＳレジスタ２−８の夫々を表している。
【００５８】
図５（ａ）の装置指定画面は、精算業務処理を実行させる装置の指定するための画面である。図５（ａ）の装置指定画面には、監視対象毎にチェックボックスが表示されている。店員は、精算業務処理を実行させる装置をチェックし、ボタン「実行」を押下することによって、精算業務処理を実行させる装置を指定する。図５（ａ）の例では、ＰＯＳ＃２（ＰＯＳレジスタ２−２）、ＰＯＳ＃３（ＰＯＳレジスタ２−３）、ＰＯＳ＃４（ＰＯＳレジスタ２−４）、ＰＯＳ＃５（ＰＯＳレジスタ２−５）、ＰＯＳ＃６（ＰＯＳレジスタ２−６）の５台が指定されている。
【００５９】
なお、図５（ａ）の装置指定画面には、監視対象の全装置が表示されているが、監視対象の全装置のうち精算業務処理が未完了である装置が表示されるようにしてもよい。具体的には例えば、監視装置３は、表示対象を切り替える領域（例えば符号Ａのプルダウンリスト）において「未完了」が選択された場合には、図５（ａ）に代えて図５（ｂ）の装置指定画面を表示してもよい。図５（ｂ）の画面では、精算業務処理が既に完了しているＰＯＳ＃８（ＰＯＳレジスタ２−８）が表示されていない。符号Ｂに示した設定ボタンについては後述する。
【００６０】
監視装置３は、店員から精算業務処理を実行させる装置の指定を受け付けた場合には、当該指定を受け付けた各装置に精算業務処理を実行させる。具体的には、監視装置３は、装置指定画面において、１台以上の装置がチェックされ、ボタン「実行」が押下された場合、当該１台以上の各装置に対し、精算業務処理の開始を指示する情報（精算業務開始指示情報）を送信する。その後、監視装置３は、装置指定画面を消去する（閉じる）。一方、精算業務開始指示情報を受信した夫々の装置は、夫々、精算業務処理を開始する。つまり、監視装置３は、店員によって指定された各装置における精算業務処理の実行を制御（実行の開始を制御）する。
【００６１】
なお、監視装置３は、装置指定画面において、１台以上の装置がチェック（指定）された後、ボタン「実行」が押下され、かつ、従業員の従業員識別情報を取得した場合に、精算業務開始指示情報を送信してもよい。例えば、１台以上の装置が指定され、続いて、ボタン「実行」が押下され、続いて、従業員カードに印刷されたコード情報（従業員コード）を読み取った場合に、精算業務開始指示情報を送信してもよい。
【００６２】
また、監視装置３は、店員から精算業務処理を実行させる装置の指定を受け付けた場合には、当該指定を受け付けた各装置に対し精算業務開始指示情報を送信することに加え、当該指定を受け付けた各装置における精算業務処理の各工程の処理状況を表示部に表示する。具体的には、監視装置３は、精算業務処理の夫々の工程に対応する複数の工程領域を表示し、夫々の工程領域の表示態様を夫々に対応する工程の処理状況に応じて変化させることによって、精算業務処理の各工程の処理状況を表示する。
【００６３】
図６は、監視対象の各装置の精算業務処理の状態（例えば、工程の処理状況等）を報知する画面である。図６では、精算業務処理を実行させる装置として指定したＰＯＳ＃２（ＰＯＳレジスタ２−２）、ＰＯＳ＃３（ＰＯＳレジスタ２−３）、ＰＯＳ＃４（ＰＯＳレジスタ２−４）、ＰＯＳ＃５（ＰＯＳレジスタ２−５）、ＰＯＳ＃６（ＰＯＳレジスタ２−６）の５台における、精算業務処理の各工程の処理状況等が表示されている。
【００６４】
図７は、表示内容および印刷内容を説明する説明図である。具体的には、図７（ａ）は、説明の便宜上、図６の一部（ＰＯＳ＃３における各工程の処理状況を示した部分）を拡大して示したものである。図７（ｂ）は、説明の便宜上、図６の一部（ＰＯＳ＃４における各工程の処理状況を示した部分）を拡大して示したものである。図７（ｃ）については後述する。
【００６５】
つまり、監視装置３は、図５に示すように、装置指定画面において、ＰＯＳ＃２、ＰＯＳ＃３、ＰＯＳ＃４、ＰＯＳ＃５、ＰＯＳ＃６の５台の指定を受け付けた場合には、図６に示すように、当該５台の夫々の装置における、精算業務処理の各工程の処理状況を報知する。具体的には、監視装置３は、図６、図７（ａ）、図７（ｂ）に示すように、各工程の進捗に合わせて、各工程に対応する工程領域の表示態様を変化させることによって、各工程の処理状況を報知する。
【００６６】
図６、図７（ａ）〜図７（ｃ）において、無地の工程領域は、当該工程領域が第１の表示態様（例えば、第１の色）で表示されていることを表し、当該工程が未だ行われていない旨を表している。また、濃い（密な）ドット表示の工程領域は、当該工程領域が第２の表示態様（例えば、第２の色）で表示されていることを表し、当該工程が現在行われている旨を表している。また、薄い（疎な）ドット表示の工程領域は、当該工程領域が第３の表示態様（例えば、第３の色）で表示されていることを表し、当該工程が既に終わった旨を表している。なお、本実施形態では、現在行われている工程と、既に終わった工程とを区別し、異なる表示態様で表示しているが、現在行われている工程と、既に終わった工程とを区別せずに、同一の表示態様で表示するようにしてもよい。
【００６７】
監視装置３が精算業務処理の各工程の処理状況を報知するため、店員は、精算業務処理が「残置金確認」→「釣銭精査」→「売上金回収」→「開設」の順に行われ、各装置において精算業務処理がどの程度、進んでいるかということを、視覚的に認識することができる。図６の例によれば、例えば、ＰＯＳ＃３について、「残置金確認」が終わって「釣銭精査」が行われていることがわかる（図７（ａ））。また例えば、ＰＯＳ＃４について、「釣銭精査」迄が終わって「売上金回収」が行われていることがわかる（図７（ｂ））。
【００６８】
精算業務処理の各工程の処理状況を表示するために、監視装置３は、装置指定画面において指定した各装置から、各工程の処理状況に関する情報（処理状況通知）を受信する。即ち、装置指定画面において指定された夫々の装置は、各工程の処理状況に応じて（例えば、各工程が終わったときに）、監視装置３に処理状況通知を送信し、監視装置３は、各装置から受信した処理状況通知に基づいて、図６に示すような画面を表示する。なお、処理状況通知には、上記４つの工程（残置金確認、釣銭精査、売上金回収、開設）のうち何れの工程が始まったことや、終わったことなどを監視装置３が特定できるような情報が含まれる。
【００６９】
図８は、精算業務処理の動作の一例を示すフローチャートである。なお、図８のフローチャートは、精算業務処理を実行する装置として指定された一の装置（ＰＯＳレジスタ２）の動作を示している。図９は、精算レポートの一例である。
【００７０】
ステップＳ１：ＰＯＳレジスタ２は、監視装置３から精算業務開始指示情報（精算業務処理の開始を指示する情報）を受信する。ステップＳ１に続いてステップＳ２に進む。
【００７１】
ステップＳ２：ＰＯＳレジスタ２は、処理状況通知を監視装置３に送信する。具体的には、ＰＯＳレジスタ２は、精算業務開始指示情報を受信した旨（又は、精算業務処理を開始する旨）の処理状況通知を監視装置３に送信する。ステップＳ２に続いてステップＳ３に進む。
【００７２】
なお、精算業務開始指示情報を受信した旨（又は、精算業務処理を開始する旨）の処理状況通知を受信した監視装置３は、当該ＰＯＳレジスタ２の精算業務処理の処理状況として、例えば、図６のＰＯＳ＃２（つまり後述する図１１（ａ））、又は、図６のＰＯＳ＃５（つまり後述する図１１（ｂ））のように処理状況を表示する。
【００７３】
（残置金確認）
ステップＳ３：ＰＯＳレジスタ２は、残置金確認（残置金確認処理）を開始する。具体的には、まず、ＰＯＳレジスタ２は、残置金はＯＫであるかを判断する。残置金がＮＧである場合（ステップＳ３：ＮＯ）、ステップＳ４に進む。一方、残置金がＯＫである場合（ステップＳ３：ＹＥＳ）、ステップＳ６に進む。
【００７４】
ステップＳ４：ＰＯＳレジスタ２は、警告通知（残置金が不足する旨を警告する通知、あるいは、残置金を調整すべき旨を警告する通知等）を監視装置３に送信する。ステップＳ４に続いてステップＳ５に進む。
【００７５】
なお、当該警告通知を受信した監視装置３は、当該ＰＯＳレジスタ２において残置金が不足している旨のメッセージ（例えば、図６のＰＯＳ＃５に示すようなメッセージ）、あるいは、当該ＰＯＳレジスタ２について残置金を調整すべき旨のメッセージを表示する。
【００７６】
ステップＳ５：ＰＯＳレジスタ２は、残置金を調整する。具体的には、ＰＯＳレジスタ２は、基準枚数以上となるように貨幣の投入を受け付ける。例えば、監視装置３は、当該ＰＯＳレジスタ２の収納部内に収納されている各貨幣の収納枚数が基準枚数以上となるように、当該ＰＯＳレジスタ２に貨幣を入金させる入金伝票を発行し、ＰＯＳレジスタ２は、当該入金伝票に基づいて貨幣の投入を受け付けるようにしてもよい。なお、監視装置３は、貨幣を入金する装置（当該ＰＯＳレジスタ２）を特定する情報、金種毎の入金枚数をコード化したコード情報を印刷した入金伝票を発行し、ＰＯＳレジスタ２は、当該入金伝票を読み取ることにより、貨幣の投入を受け付けるようにしてもよい。ステップＳ５に続いてステップＳ３に戻る。なお、本フローチャートでは、ステップＳ５に続いてステップＳ３に戻るが、ステップＳ５に続いてステップＳ６に進むようにしてもよい。
【００７７】
ステップＳ６：ＰＯＳレジスタ２は、処理状況通知を監視装置３に送信する。具体的には、ＰＯＳレジスタ２は、残置金確認が完了した旨（又は、釣銭精査を開始する旨）の処理状況通知を監視装置３に送信する。ステップＳ６に続いてステップＳ７に進む。
【００７８】
なお、当該処理状況通知を受信した監視装置３は、当該ＰＯＳレジスタ２の精算業務処理の処理状況として、例えば、図６のＰＯＳ＃３（つまり後述する図１１（ｃ））のように処理状況を表示する。
【００７９】
（釣銭精査）
ステップＳ７：ＰＯＳレジスタ２は、釣銭精査（釣銭精査処理）を開始する。具体的には、まず、ＰＯＳレジスタ２は、収納部内に収納している各貨幣を実際に計数する。つまり、ＰＯＳレジスタ２は、現金在高（各貨幣の実際の収納枚数）を求める処理を実行する。より詳細には、釣銭釣札機１７内において貨幣を移動させるなどして貨幣が実際に何枚あるかを数え直すといった処理を金種毎に全金種について、釣銭釣札機１７に実行させる。従って、処理時間に関して言えば、精算業務処理全体の処理時間に占める当該処理（各貨幣を実際に計数する処理）の処理時間の割合は大きい。ステップＳ７に続いてステップＳ８に進む。
【００８０】
ステップＳ８：ＰＯＳレジスタ２は、精査はＯＫであるかを判断する。つまり、ＰＯＳレジスタ２は、ステップＳ７において計数して得られた現金在高（各貨幣の実際の収納枚数）と、各取引の入出金情報に基づいた理論在高（各貨幣の理論上の収納枚数）とを比較し、一致するかを判断する。精査がＮＧである場合、つまり、現金在高と理論在高とが一致しない場合（ステップＳ８：ＮＯ）、ステップＳ９に進む。一方、精査がＯＫである場合、つまり、現金在高と理論在高とが一致する場合（ステップＳ８：ＹＥＳ）、ステップＳ１１に進む。
【００８１】
なお、残置金がＮＧ（ステップＳ３（ＮＯ））となるのは日常的に想定している何ら珍しいことではないが、精査がＮＧ（ステップＳ８（ＮＯ））となるのは基本的に想定していない非常に珍しいことである。
【００８２】
ステップＳ９：ＰＯＳレジスタ２は、警告通知（精査が合わない旨の警告を警告する通知、あるいは、補正をすべき旨を警告する通知等）を監視装置３に送信する。ステップＳ９に続いてステップＳ１０に進む。
【００８３】
なお、当該警告通知を受信した監視装置３は、当該ＰＯＳレジスタ２において精査が合わない旨のメッセージ、あるいは、当該ＰＯＳレジスタ２について補正をすべき旨のメッセージを表示する。
【００８４】
ステップＳ１０：ＰＯＳレジスタ２は、収納枚数を補正する。例えば、ＰＯＳレジスタ２は、基準枚数以上となるように貨幣の投入または放出を受け付ける。例えば、監視装置３は、当該ＰＯＳレジスタ２の収納部内に収納されている現金在高が理論在高と一致するように、当該ＰＯＳレジスタ２に貨幣を入金または出金させる伝票（入金伝票、出金伝票、入出金伝票等）を発行し、ＰＯＳレジスタ２は、当該伝票に基づいて貨幣の投入または放出を受け付けるようにしてもよい。なお、監視装置３は、貨幣を入金または出金する装置（当該ＰＯＳレジスタ２）を特定する情報、金種毎の入金枚数または出金枚数をコード化したコード情報を印刷した入金伝票を発行し、ＰＯＳレジスタ２は、当該入金伝票を読み取ることにより、貨幣の投入を受け付けるようにしてもよい。ステップＳ１０に続いてステップＳ３に戻る。なお、本フローチャートでは、ステップＳ１０に続いてステップＳ３に戻るが、ステップＳ１０に続いてステップＳ７に戻るようにしてもよい。
【００８５】
なお、残置金がＮＧ（ステップＳ３（ＮＯ））となった後の残置金調整（ステップＳ５）では、理論在高との間で齟齬が生じないように、調整（投入）した貨幣について理論在高に反映させるが、精査がＮＧ（ステップＳ８（ＮＯ））となった後の補正（ステップＳ１０）では、理論在高との間で既に生じている齟齬を補正するものであるため、補正（投入、放出）した貨幣について理論在高に反映させない。図１３のフローチャートにおいても同様である。
【００８６】
ステップＳ１１：ＰＯＳレジスタ２は、処理状況通知を監視装置３に送信する。具体的には、ＰＯＳレジスタ２は、釣銭精査が完了した旨（又は、売上金回収を開始する旨）の処理状況通知を監視装置３に送信する。ステップＳ１１に続いてステップＳ１２に進む。
【００８７】
なお、当該処理状況通知を受信した監視装置３は、当該ＰＯＳレジスタ２の精算業務処理の処理状況として、例えば、図６のＰＯＳ＃４（つまり後述する図１１（ｄ））のように処理状況を表示する。
【００８８】
（売上金回収）
ステップＳ１２：ＰＯＳレジスタ２は、回収指示通知（売上金回収を指示する通知）を監視装置３に送信する。ステップＳ１２に続いてステップＳ１３に進む。
【００８９】
なお、回収指示通知を受信した監視装置３は、当該ＰＯＳレジスタ２において売上金回収を指示する旨のメッセージ（例えば、図６のＰＯＳ＃４に示すようなメッセージ）を表示する。
【００９０】
ステップＳ１３：ＰＯＳレジスタ２は、例えば、店員の操作に基づいて、収納部からの貨幣の回収を制御する処理（電気的、構造的な制御等）を実行する。ステップＳ１３に続いてステップＳ１４に進む。
【００９１】
ステップＳ１４：ＰＯＳレジスタ２は、処理状況通知を監視装置３に送信する。具体的には、ＰＯＳレジスタ２は、売上金回収が完了した旨（又は、開設を開始する旨）の処理状況通知を監視装置３に送信する。ステップＳ１４に続いてステップＳ１５に進む。
【００９２】
なお、当該処理状況通知を受信した監視装置３は、当該ＰＯＳレジスタ２の精算業務処理の処理状況として、例えば、図６のＰＯＳ＃６（つまり後述する図１１（ｅ））のように処理状況を表示する。
【００９３】
ステップＳ１５：ＰＯＳレジスタ２は、開設処理を実行する。例えば、ＰＯＳレジスタ２は、各種情報（上述迄の全処理が完了した旨の情報、売上情報等）をストアコントローラ４に送信するなどして、開店待ちの状態にする。ステップＳ１５に続いてステップＳ１６に進む。
【００９４】
ステップＳ１６：ＰＯＳレジスタ２は、処理状況通知を監視装置３に送信する。具体的には、ＰＯＳレジスタ２は、開設が完了した旨（又は、精算業務が完了した旨）の処理状況通知を監視装置３に送信する。ステップＳ１６に続いてステップＳ１７に進む。
【００９５】
なお、当該処理状況通知を受信した監視装置３は、当該ＰＯＳレジスタ２の精算業務処理の処理状況として、例えば、図６のＰＯＳ＃８のように、精算業務が終了した旨の「精算終了」等の文言を表示する。図１３のフローチャートにおいても同様である。
【００９６】
また、監視装置３は、全装置（精算業務処理を実行する装置として指定された全ＰＯＳレジスタ２）から開設が完了した旨（又は、精算業務が完了した旨）の処理状況通知を受信し終えた後に、図９に示したような、精算レポートを発行する。図９に示した精算レポートには、装置毎に、売上金額、理論在高、実在高（現金在高）、精査結果、精査ＮＧの場合の補正に関する情報、回収金額、残置金額が印刷されている。図１３のフローチャートにおいても同様である。
【００９７】
なお、監視装置３は、精算レポートの発行に代えて又は加えて、精算レポート上に印刷されるような情報（売上金額、理論在高、実在高、精査結果、精査ＮＧの場合の補正に関する情報、回収金額、残置金額等）を、自身の記憶部に記憶してもよいし、自身の表示部に表示してもよいし、外部（例えば、ストアコントローラ４、各ＰＯＳレジスタ２）に送信してもよい。
【００９８】
なお、図９に示した精算レポートは、全装置の情報を印刷したものであるが、監視装置３は、装置毎に情報が印刷された精算レポートを発行してもよい。例えば、監視装置３は、全装置（精算業務処理を実行する装置として指定された全ＰＯＳレジスタ２）から開設が完了した旨（又は、精算業務が完了した旨）の処理状況通知を受信し終えた後に、装置毎に情報が印刷された精算レポートを、装置毎に夫々発行してもよいし、夫々の装置から開設が完了した旨（又は、精算業務が完了した旨）の処理状況通知を受信する度に、当該装置の情報が印刷された精算レポートを発行してもよい。図１３のフローチャートにおいても同様である。
【００９９】
ステップＳ１７：ＰＯＳレジスタ２は、電源をオフにする。そして、図８のフローチャートは終了する。なお、電源がオフになると、オフラインになるが、オフラインになった場合には、監視装置３は、例えば、図６のＰＯＳ＃８のように、オフラインである旨を表示する。図１３のフローチャートにおいても同様である。
【０１００】
（精算業務処理における各工程の処理順序の他の例）
以上、精算業務処理について説明したが、精算業務処理の各工程の処理順序は、上記に限定されない。図６、図７（ａ）、図７（ｂ）、図８等における説明では、精算業務処理が「残置金確認」→「釣銭精査」→「売上金回収」→「開設」の順に行われる態様であったが、例えば、精算業務処理が「釣銭精査」→「残置金確認」→「売上金回収」→「開設」の順に行われるようにしてもよい。
【０１０１】
図１０は、精算業務処理の工程について説明する説明図である。具体的には、図１０（ａ）は図６、図７（ａ）、図７（ｂ）、図８等において説明した態様（精算業務処理が「残置金確認」→「釣銭精査」→「売上金回収」→「開設」の順に行われる態様）について説明する説明図である。図１０（ｂ）は、図６、図７（ａ）、図７（ｂ）、図８等において説明した態様とは異なる態様（精算業務処理が「釣銭精査」→「残置金確認」→「売上金回収」→「開設」の順に行われる態様）について説明する説明図である。図１１は、精算業務処理の工程の表示に係る表示態様の一例である。
【０１０２】
なお、以下の説明において、図１０（ａ）の態様を「残置金確認後釣銭精査」、「精査モードＡ」又は「精算業務モードＡ」と称する場合がある、また、図１０（ｂ）の態様を「釣銭精査後残置金確認」、「精査モードＢ」又は「精算業務モードＢ」と称する場合がある。
【０１０３】
なお、言うまでもないが、監視装置３は、残置金確認後釣銭精査の場合には、図７（ａ）や図７（ｂ）のように精算業務処理の工程を表示したが、釣銭精査後残置金確認の場合には、図７（ｃ）のように精算業務処理の工程を表示する。つまり、監視装置３は、処理の順番がわかるように、残置金確認後釣銭精査の場合には、「残置金確認」の下側に「釣銭精査」を表示するが（図７（ａ）（ｂ）の符号Ｂ１、Ｂ２）、釣銭精査後残置金確認の場合には、「釣銭精査」の下側に「残置金確認」を表示する（図７（ｃ）の符号Ｄ１、Ｄ２）。
【０１０４】
つまり、監視装置３は、図１０（ａ）の「残置金確認後釣銭精査」では、精算業務処理の進行状況に応じて、図１１（ａ）→図１１（ｂ）→図１１（ｃ）→図１１（ｄ）→図１１（ｅ）のように報知し、図１０（ｂ）の「釣銭精査後残置金確認」では、精算業務処理の進行状況に応じて、図１１（ｆ）→図１１（ｇ）→図１１（ｈ）→図１１（ｉ）→図１１（ｊ）のように報知する。
【０１０５】
図１０（ａ）の「残置金確認後釣銭精査」でも、図１０（ｂ）の「釣銭精査後残置金確認」でも、残置金確認と釣銭精査の夫々についてＮＧ（残置金ＮＧ、精査ＮＧ）となる状況が考えられる（但し、処理の順序が異なるため、ＮＧとなる順序は異なる）。しかしながら、理論在高と現金在高とが一致しない（精査ＮＧとなる）のは非常に稀である。従って、非常に稀な精査ＮＧを無視すれば、「残置金確認後釣銭精査」において実質的に想定されるフローは、残置金（ＯＫ）かつ精査（ＯＫ）となるケースＡと、残置金（ＮＧ）かつ精査（ＯＫ）となるケースＢである。また、「釣銭精査後残置金確認」において実質的に想定されるフローは、精査（ＯＫ）かつ残置金（ＯＫ）となるケースＡと、精査（ＯＫ）かつ残置金（ＮＧ）となるケースＢである。
【０１０６】
図１０（ａ）に示すように、「残置金確認後釣銭精査」におけるケースＡのフローは、「残置金（ＯＫ）→精査（ＯＫ）→回収→開設」である。また、「残置金確認後釣銭精査」におけるケースＢのフローは、「残置金（ＮＧ）→調整→残置金（ＯＫ）→精査（ＯＫ）→回収→開設」である。つまり、「残置金確認後釣銭精査」では、基本的には（非常に稀な精査ＮＧを無視すれば）、時間がかかる（釣銭釣札機１７内において貨幣を移動させるなどして貨幣が実際に何枚あるかを計数する）釣銭精査の実行回数は高々１回である。なお、ケースＢの場合には、残置金（ＮＧ）による入出金（調整）後に、入出金（調整）後の現金在高（調整後の収納枚数）について、きちんと精査が行われるため、ケースＢの場合であっても、ケースＡの場合と同様、釣銭精査は１回で済む。
【０１０７】
一方、図１０（ｂ）に示すように、「釣銭精査後残置金確認」におけるケースＡのフローは、「精査（ＯＫ）→残置金（ＯＫ）→回収→開設」である。また、「釣銭精査後残置金確認」におけるケースＢのフローは、「精査（ＯＫ）→残置金（ＮＧ）→調整→精査（ＯＫ）→回収→開設」である。つまり、「釣銭精査後残置金確認」では、基本的には（非常に稀な精査ＮＧを無視すれば）、時間がかかる釣銭精査の実行回数は１回又は２回である。なお、ケースＢの場合には、残置金（ＮＧ）による入出金（調整）前に、既に精査ＯＫとなっているが、入出金（調整）後の現金在高（調整後の収納枚数）について、きちんと精査を行う必要があるため、ケースＢの場合には、釣銭精査は２回となる。
【０１０８】
以上のように、基本的には（釣銭精査ＯＫの場合には）、図１０（ａ）に示した「残置金確認後釣銭精査」の所要時間（厳密には、売上金回収に係る作業など店員の作業時間は除く。以下、同様）は、図１０（ｂ）に示した「釣銭精査後残置金確認」の所要時間よりも長くならない。具体的には、残置金（ＯＫ）かつ精査（ＯＫ）となるケースＡの場合には、「残置金確認後釣銭精査」と「釣銭精査後残置金確認」に所要時間の差はなく、残置金（ＮＧ）かつ精査（ＯＫ）となるケースＢの場合には、「残置金確認後釣銭精査」の方が「釣銭精査後残置金確認」に比べ所要時間は短くなる。
【０１０９】
但し、上述したように、非常に稀ではあるが、精査ＮＧとなる場合には、補正の態様（補正ａ：残置金を考慮しない補正、補正ｂ：残置金（ＮＧ）とならないように残置金を考慮した補正）にもよるが、釣銭精査が行われる回数が、図１０（ａ）に示した「残置金確認後釣銭精査」の方が、図１０（ｂ）に示した「釣銭精査後残置金確認」よりも多くなる場合がある（図１０（ａ）（ｂ）のケースＣ１以下参照）。つまり、精査ＮＧとなる場合には、「残置金確認後釣銭精査」の方が「釣銭精査後残置金確認」に比べ所要時間が長くなる場合がある。
【０１１０】
図１０（ａ）の「残置金確認後釣銭精査（精査モードＡ）」と、図１０（ｂ）の「釣銭精査後残置金確認（精査モードＢ）」とは指定可能（選択可能）であってもよい。
【０１１１】
図１２は、精査モードを指定する画面の一例である。例えば、監視装置３は、図５に示した装置指定画面を表示しているときに、例えば、同図下部のボタン「設定」が押下された場合に、図１２に示すような精査モード指定画面を表示し、当該精査モード指定画面上において精査モードの指定を受け付けるようにしてもよい。
【０１１２】
図１２の精査モード指定画面には、精査モードＡ、精査モードＢの夫々に、夫々の工程を模したイラスト（符号Ｅ、Ｇ）のほか、指定する際に参考となる情報（符号Ｆ、Ｈ）、チェックボックスが表示されている。図１０の例では、精査モードＡが指定されている。
【０１１３】
なお、図１２の精査モード指定画面では、全装置（精算業務処理を実行する装置として指定された全ＰＯＳレジスタ２）について一括して精査モードを指定するが、各装置（精算業務処理を実行する装置として指定された夫々のＰＯＳレジスタ２）について個別に精査モードを指定可能な画面を表示し、各装置について個別に精査モードを指定できるようにしてもよい。
【０１１４】
図１３は、精算業務処理の他の動作の一例を示すフローチャートである。具体的には、図１３に示したフローチャートは、精算業務処理を実行する装置として指定された一の装置（ＰＯＳレジスタ２）の動作を示している。なお、図８は、図１０（ａ）の「残置金確認後釣銭精査（精査モードＡ）」におけるＰＯＳレジスタ２の動作を示したフローチャートであるが、図１３は、図１０（ｂ）の「釣銭精査後残置金確認（精査モードＢ）」におけるＰＯＳレジスタ２の動作を示したフローチャートである。
【０１１５】
ステップＳ３１：ＰＯＳレジスタ２は、監視装置３から精算業務開始指示情報を受信する。なお、図８のステップＳ１では、残置金確認後釣銭精査（精査モードＡ）を指示する精算業務開始指示情報を受信するが、図１３のステップＳ３では、釣銭精査後残置金確認（精査モードＢ）を指示する精算業務開始指示情報を受信する。ステップＳ３１に続いてステップＳ３２に進む。
【０１１６】
ステップＳ３２：ＰＯＳレジスタ２は、処理状況通知を監視装置３に送信する。具体的には、ＰＯＳレジスタ２は、精算業務開始指示情報を受信した旨（又は、精算業務処理を開始する旨）の処理状況通知を監視装置３に送信する。ステップＳ３２に続いてステップＳ３３に進む。
【０１１７】
なお、精算業務開始指示情報を受信した旨（又は、精算業務処理を開始する旨）の処理状況通知を受信した監視装置３は、当該ＰＯＳレジスタ２の精算業務処理の処理状況として、例えば、図１１（ｆ）、又は、図１１（ｇ）のように処理状況を表示する。
【０１１８】
（釣銭精査）
ステップＳ３３：ＰＯＳレジスタ２は、釣銭精査（釣銭精査処理）を開始する。具体的には、ＰＯＳレジスタ２は、収納部内に収納している各貨幣を実際に計数する。なお、図８のステップＳ７では、残置金確認が行われた後の各貨幣（残置金ＮＧであった場合には調整後の各貨幣）を計数するが、図１３のステップＳ３３では、残置金確認がわれる前の各貨幣を計数する。ステップＳ３３に続いてステップＳ３４に進む。
【０１１９】
ステップＳ３４：ＰＯＳレジスタ２は、精査はＯＫであるかを判断する。現金在高と理論在高とが一致しない場合（ステップＳ３４：ＮＯ）、ステップＳ３５に進む。一方、精査がＯＫである場合、つまり、現金在高と理論在高とが一致する場合（ステップＳ３４：ＹＥＳ）、ステップＳ３７に進む。
【０１２０】
ステップＳ３５：ＰＯＳレジスタ２は、警告通知（精査が合わない旨の警告を警告する通知、あるいは、補正をすべき旨を警告する通知等）を監視装置３に送信する。ステップＳ３５に続いてステップＳ３６に進む。
【０１２１】
なお、当該警告通知を受信した監視装置３は、当該ＰＯＳレジスタ２において精査が合わない旨のメッセージ、あるいは、当該ＰＯＳレジスタ２について補正をすべき旨のメッセージを表示する。
【０１２２】
ステップＳ３６：ＰＯＳレジスタ２は、収納枚数を補正する。例えば、ＰＯＳレジスタ２は、基準枚数以上となるように貨幣の投入または放出を受け付ける。例えば、監視装置３は、当該ＰＯＳレジスタ２の収納部内に収納されている現金在高が理論在高と一致するように、当該ＰＯＳレジスタ２に貨幣を入金または出金させる伝票（入金伝票、出金伝票、入出金伝票等）を発行し、ＰＯＳレジスタ２は、当該伝票に基づいて貨幣の投入または放出を受け付けるようにしてもよい。なお、監視装置３は、貨幣を入金または出金する装置（当該ＰＯＳレジスタ２）を特定する情報、金種毎の入金枚数または出金枚数をコード化したコード情報を印刷した入金伝票を発行し、ＰＯＳレジスタ２は、当該入金伝票を読み取ることにより、貨幣の投入を受け付けるようにしてもよい。ステップＳ３６に続いてステップＳ３３に戻る。
【０１２３】
ステップＳ３７：ＰＯＳレジスタ２は、処理状況通知を監視装置３に送信する。具体的には、ＰＯＳレジスタ２は、釣銭精査が完了した旨（又は、残置金確認を開始する旨）の処理状況通知を監視装置３に送信する。ステップＳ３７に続いてステップＳ３８に進む。
【０１２４】
なお、当該処理状況通知を受信した監視装置３は、当該ＰＯＳレジスタ２の精算業務処理の処理状況として、例えば、図１１（ｈ）のように処理状況を表示する。
【０１２５】
（残置金確認）
ステップＳ３８：ＰＯＳレジスタ２は、残置金確認（残置金確認処理）を開始する。具体的には、ＰＯＳレジスタ２は、残置金はＯＫであるかを判断する。なお、図８のステップＳ３では、釣銭精査が行われる前の各貨幣について判断するが、図１３のステップＳ３８では、釣銭精査が行われた後の各貨幣（精査ＮＧであった場合には補正後の各貨幣）について判断する。残置金がＮＧである場合（ステップＳ３８：ＮＯ）、ステップＳ３９に進む。一方、残置金がＯＫである場合（ステップＳ３８：ＹＥＳ）、ステップＳ４１に進む。
【０１２６】
ステップＳ３９：ＰＯＳレジスタ２は、警告通知（残置金が不足する旨を警告する通知、あるいは、残置金を調整すべき旨を警告する通知等）を監視装置３に送信する。ステップＳ３９に続いてステップＳ４０に進む。
【０１２７】
なお、当該警告通知を受信した監視装置３は、当該ＰＯＳレジスタ２において残置金が不足している旨のメッセージ（例えば、図６のＰＯＳ＃５に示すようなメッセージ）、あるいは、当該ＰＯＳレジスタ２について残置金を調整すべき旨のメッセージを表示する。
【０１２８】
ステップＳ４０：ＰＯＳレジスタ２は、残置金を調整する。具体的には、ＰＯＳレジスタ２は、基準枚数以上となるように貨幣の投入を受け付ける。例えば、監視装置３は、当該ＰＯＳレジスタ２の収納部内に収納されている各貨幣の収納枚数が基準枚数以上となるように、当該ＰＯＳレジスタ２に貨幣を入金させる入金伝票を発行し、ＰＯＳレジスタ２は、当該入金伝票に基づいて貨幣の投入を受け付けるようにしてもよい。なお、監視装置３は、貨幣を入金する装置（当該ＰＯＳレジスタ２）を特定する情報、金種毎の入金枚数をコード化したコード情報を印刷した入金伝票を発行し、ＰＯＳレジスタ２は、当該入金伝票を読み取ることにより、貨幣の投入を受け付けるようにしてもよい。ステップＳ４０に続いてステップＳ３３に戻る。
【０１２９】
ステップＳ４１：ＰＯＳレジスタ２は、処理状況通知を監視装置３に送信する。具体的には、ＰＯＳレジスタ２は、残置金確認が完了した旨（又は、売上金回収を開始する旨）の処理状況通知を監視装置３に送信する。ステップＳ４１に続いてステップＳ４２に進む。
【０１３０】
なお、当該処理状況通知を受信した監視装置３は、当該ＰＯＳレジスタ２の精算業務処理の処理状況として、例えば、図１１（ｉ）のように処理状況を表示する。
【０１３１】
（売上金回収）
ステップＳ４２：ＰＯＳレジスタ２は、回収指示通知（売上金回収を指示する通知）を監視装置３に送信する。ステップＳ４２に続いてステップＳ４３に進む。
【０１３２】
なお、回収指示通知を受信した監視装置３は、当該ＰＯＳレジスタ２において売上金回収を指示する旨のメッセージ（例えば、図６のＰＯＳ＃４に示すようなメッセージ）を表示する。
【０１３３】
ステップＳ４３：ＰＯＳレジスタ２は、例えば、店員の操作に基づいて、収納部からの貨幣の回収を制御する処理（電気的、構造的な制御等）を実行する。ステップＳ４３に続いてステップＳ４４に進む。
【０１３４】
ステップＳ４４：ＰＯＳレジスタ２は、処理状況通知を監視装置３に送信する。具体的には、ＰＯＳレジスタ２は、売上金回収が完了した旨（又は、開設を開始する旨）の処理状況通知を監視装置３に送信する。ステップＳ４４に続いてステップＳ４５に進む。
【０１３５】
なお、当該処理状況通知を受信した監視装置３は、当該ＰＯＳレジスタ２の精算業務処理の処理状況として、例えば、図１１（ｊ）のように処理状況を表示する。
【０１３６】
ステップＳ４５：ＰＯＳレジスタ２は、開設処理を実行する。例えば、ＰＯＳレジスタ２は、各種情報（上述迄の全処理が完了した旨の情報、売上情報等）をストアコントローラ４に送信するなどして、開店待ちの状態にする。ステップＳ４５に続いてステップＳ４６に進む。
【０１３７】
ステップＳ４６：ＰＯＳレジスタ２は、処理状況通知を監視装置３に送信する。具体的には、ＰＯＳレジスタ２は、開設が完了した旨（又は、精算業務が完了した旨）の処理状況通知を監視装置３に送信する。ステップＳ４６に続いてステップＳ４７に進む。
【０１３８】
ステップＳ４７：ＰＯＳレジスタ２は、電源をオフにする。そして、図８のフローチャートは終了する。
【０１３９】
実行している（又は、実行した精査モード）が、精査モードＡであるか（あったか）、精査モードＢであるか（あったか）を出力してもよい。例えば、精算業務処理の状態を報知する画面（図６）上に表示（装置毎に精査モードを指定する場合には装置毎に表示）してもよい。また、精算レポート（図９）上に印刷（装置毎に精査モードを指定する場合には装置毎に印刷）してもよい。また、記憶部に記憶してもよいし、表示部に表示してもよいし、外部（例えば、ストアコントローラ４、各ＰＯＳレジスタ２）に送信してもよい。なお、自動的に精査モードが決定される場合（後述）においても、店員の操作に基づいて精査モードが決定される場合と同様、実行している（又は、実行した精査モード）が、精査モードＡであるか（あったか）、精査モードＢであるか（あったか）を出力してもよい。
【０１４０】
精査モードの指定に制限を設けるようにしてもよい。例えば、管理者権限である場合に精査モードを指定できるようにしてもよい。一例として、管理者権限でログインしている場合には精査モード指定画面を表示し、管理者権限でログインしていない場合には精査モード指定画面を表示しないようにしてもよい。なお、精査モードＡを基本精査モードとし、例外（特殊）精査モードである精査モードＢの指定に対し、制限を設けるようにしてもよい。一例として、管理者権限でログインしている場合には精査モード指定画面における精査モードＢの指定を許可し、管理者権限でログインしていない場合には精査モード指定画面における精査モードＢの指定を許可しないようにしてもよい。なお、一例であるが、例えば、破損した紙幣や変形した硬貨を投入しているような場合や、取消、両替等を頻繁に実行しているような場合や、そうでない場合に比べ、精査ＮＧとなる可能性が高まるため、精査モードＢを指定していしてもよい。
【０１４１】
なお、上記説明では、精査モードは店員の指定によって決定されるが、自動的に決定されるようにしてもよい。つまり、精査ＯＫとなることが略確実に予想される場合には精査モードＡが自動的に決定され、精査ＮＧとなる虞がある場合には精査モードＢが自動的に決定されるようにしてもよい。
【０１４２】
具体的には、過去の実績に応じて自動的に決定してもよい。例えば、最後に精査ＮＧとなった日から数日間（例えば１〜３日間）は精査モードＢを決定し、最後に精査ＮＧとなった日から数日間を経過後は精査ＯＫが続く限り精査モードＡを決定してもよい。なお、ある１台のＰＯＳレジスタ２が精査ＮＧとなった場合には当該１台のＰＯＳレジスタ２について精査モードＢを決定してもよいし、ある１台のＰＯＳレジスタ２が精査ＮＧとなった場合には当該１台のＰＯＳレジスタ２を含む全部のＰＯＳレジスタ２について精査モードＢを決定してもよい。
【０１４３】
また例えば、ＰＯＳレジスタ２別に精査ＮＧの頻度を集計し、精査ＮＧの頻度が基準値未満であるＰＯＳレジスタ２については精査モードＡを決定し、精査ＮＧの頻度が基準値以上であるＰＯＳレジスタ２については精査モードＢを決定してもよい。
【０１４４】
また例えば、上記に代えて又は加えて、ＰＯＳレジスタ２を使用する店員別に精査ＮＧの頻度を集計し、精査ＮＧの頻度が基準値未満である店員が主に操作したＰＯＳレジスタ２については精査モードＡを決定し、精査ＮＧの頻度が基準値以上である店員が主に操作したＰＯＳレジスタ２については精査モードＢを決定してもよい。
【０１４５】
また例えば、上記に代えて又は加えて、曜日別（すなわち、曜日別、又は、曜日別店員別）に頻度を集計し、同様に基準値と比較し決定してもよい。
【０１４６】
また、過去の実績に代えて又は加えて、商品の取消、両替等の回数に基づいて精査モードを決定してもよい。例えば、商品の取消、両替等の回数が所定回数未満であったＰＯＳレジスタ２については精査モードＡを決定し、商品の取消、両替等の回数が所定回数以上であったＰＯＳレジスタ２については精査モードＢを決定してもよい。また例えば、精査ＮＧの頻度が基準値未満である店員が主に操作したＰＯＳレジスタ２であるか、または、商品の取消、両替等の回数が所定回数未満であったＰＯＳレジスタ２については精査モードＡを決定し、精査ＮＧの頻度が基準値以上である店員が主に操作したＰＯＳレジスタ２であって、かつ、商品の取消、両替等の回数が所定回数以上であったＰＯＳレジスタ２について精査モードＢを決定してもよい。
【０１４７】
また、上記説明では、残置金確認（残置金確認処理）に関して、枚数が少ない場合に残置金調整として貨幣の投入を受け付ける例を説明したが、枚数が少ない場合に残置金調整として貨幣の投入を受け付けることに加えて、枚数が多い場合に残置金調整として貨幣の放出を受け付けるようにしてもよい。例えば、貨幣毎に、釣銭ニアエンドを管理する第１閾値よりも値が大きい第２閾値未満である場合に、残置金調整として貨幣の投入を受け付ける例を説明したが、上記に加えて、釣銭ニアフルを管理する第４閾値よりも値が小さい第３閾値以上である場合に、残置金調整として貨幣の放出を受け付けるようにしてもよい。
【０１４８】
（ある貨幣の具体例）
第４閾値（例えば、１２０枚）…ニアフル判定用の閾値
第３閾値（例えば、１００枚）…残置金確認における上限閾値
第２閾値（例えば、４０枚）…残置金確認における下限閾値
第１閾値（例えば、２０枚）…ニアエンド判定用の閾値
とし、例えば営業中は、収納枚数＜第１閾値未満の場合に釣銭ニアエンドと判断し、収納枚数≧第４閾値の場合に釣銭ニアフルと判断し、一方、精算業務処理の残置金確認では、収納枚数＜第２閾値未満の場合か、収納枚数≧第３閾値の場合に残置金ＮＧと判断してもよい。収納枚数＜第２閾値未満の場合の残置金ＮＧの場合には調整として貨幣の投入を受ける。収納枚数≧第３閾値の場合の残置金ＮＧの場合には調整として貨幣の放出を受ける。なお、貨幣の種類毎に、閾値（第１閾値〜第４閾値）を異ならせてもよい。貨幣の放出の場合には出金伝票を用いてもよい。
【０１４９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１５０】
例えば、上記実施形態では、監視装置３において各種画面（図４、図５、図７、図１２等の画面）を表示し、精算業務開始指示情報を送信しているが、監視装置３に代えて又は加えて、他の装置（例えば、ＰＯＳレジスタ２（例えば、代表のＰＯＳレジスタ２）、非図示のタブレット端末、非図示のスマートフォン等）が各種画面（図４、図５、図７、図１２等の画面）を表示し、精算業務開始指示情報を送信してもよい。つまり、監視装置３とは異なる他の装置が、精算業務を管理してもよい（例えば、ＰＯＳレジスタ２等に精査モード指定画面を表示し、ＰＯＳレジスタ２等において精査モードを指定できるようにしてもよい）。また、精算業務開始指示情報の受信ではなく精算業務開始指示の操作等に基づいて精算業務を開始してもよい。つまり、あるＰＯＳレジスタ２の精算業務の開始を当該ＰＯＳレジスタ２上における操作によって開始するようにしてもよい。
【０１５１】
また、上記実施形態では、精算業務処理は、４工程であるが、工程数は４でなくてもよい。つまり、各工程の細分化や統合等に応じて、精算業務処理に含まれる工程数を、５以上としてもよいし、３未満としてもよい。例えば、上記実施形態では、現金在高を計数する処理は釣銭精査処理の一部であるが（図１０等参照）、現金在高を計数する処理を釣銭精査処理から切り離して別工程とみなしてもよい。なお、精算業務処理に含まれる工程数が幾つの場合であっても、精査モードＡを、現金在高を計数する前に残置金確認を行う処理とし、精査モードＢを、現金在高を計数した後に残置金確認を行う処理と捉えてもよい。
【０１５２】
また、上記実施形態では、精算業務処理の精査モードとして、精査モードＡと精査モードＢの２つの精査モードについて説明したが、精査モードの種類は３種類以上であってもよい。一例として、図１０に示したように工程数が４である場合において、仮に精査ＮＧとなった場合の実行する補正の態様（上述した補正ａ、補正ｂの別）に応じて、精査モードを細分化してもよい。例えば、
精査モードＡ１：精査モードＡにおいて精査ＮＧ後に残置金を考慮しない補正（補正ａ）による補正を行うモード
精査モードＡ２：精査モードＡにおいて精査ＮＧ後に残置金（ＮＧ）とならないように残置金を考慮した補正（補正ｂ）を行う精査モード
精査モードＢ１：精査モードＢにおいて精査ＮＧ後に残置金を考慮しない補正（補正ａ）による補正を行うモード
精査モードＢ２：精査モードＢにおいて精査ＮＧ後に残置金（ＮＧ）とならないように残置金を考慮した補正（補正ｂ）を行う精査モード
の４つに分けるようにしてもよい。
【０１５３】
なお、１円玉の残置金確認における下限閾値（上記の第２閾値）が４０枚であるときに、１円玉が５枚多いという精査ＮＧ（例えば、論理在高における１円玉が３８枚であるのに対し、現金在高における１円玉が４３枚）となった場合、補正ａでは、下限閾値を無視し、単に１円玉を５枚放出し、現金在高における１円玉を論理在高における１円玉と同じ３８枚とするが、補正ｂでは、下限閾値を考慮し、例えば、１円玉を放出せずに５円玉１枚を放出してもよい。なお、補正ａの場合には、原則通り、理論在高は更新しないが、補正ｂの場合には、理論在高を更新してもよい。上記の例の場合、補正ａでは、論理在高における１円玉は３８枚のままとするが、補正ｂでは、論理在高における５円玉を１枚減らし、代わりに論理在高における１円玉を５枚増やしてもよい。
【０１５４】
なお、精査モードの種類が３種類以上の場合であっても、精査モードの種類が２種類の場合と同様、店員の指定操作により実行する精査モードを決定してもよいし、過去の実績等から自動的に実行する精査モードを決定してもよい。なお、各モード間における差異は、工程の実行順序が異なる点（精査モードＡ、Ｂ間の差異）、工程内の実行態様が異なる点（例えば、補正ａ、補正ｂの差異）などである。
【０１５５】
なお、上記実施形態では、精算業務処理の処理対象であるＰＯＳレジスタ２は、登録処理と、精算処理（具体的には少なくとも現金による精算処理）とが実行可能な装置であったが、精算業務処理の処理対象は、少なくとも精算処理（具体的には少なくとも現金による精算処理）が実行可能な装置であればよい。従って、筐体の一方側で店員が商品の登録も精算も行う登録精算装置（ＰＯＳレジスタ２の態様の装置）の他、例えば、登録装置（例えば店員が商品の登録を行う登録装置）における登録情報に基づいて客自身が精算を行う精算装置、客自身が商品の登録も精算も行う登録精算装置、筐体の一方側で店員が行った商品の登録情報に戻づいて当該装置の反対側で客自身が精算を行う登録精算装置なども、精算業務処理の処理対象となる。また、登録専用モード、精算専用モード、登録精算モード等の切り替え可能な複数の動作モードを有する装置も、精算業務処理の処理対象となる。
【０１５６】
なお、上述したＰＯＳシステム１や、ストアコントローラ４や、ＰＯＳレジスタ２などを実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【０１５７】
以下、付記を開示する。
【０１５８】
（付記１）
収納されている貨幣の枚数を計数する計数手段（例えば、釣銭精査の一部（ステップＳ７等））と、前記計数手段によって計数された各貨幣の収納枚数と、各取引の入出金情報に基づいた各貨幣の枚数である理論枚数とを比較し、各貨幣の収納枚数が正しいかを精査する精査手段（例えば、釣銭精査の一部（ステップＳ８等））と、前記計数手段によって計数された各貨幣の収納枚数が、各貨幣についてあらかじめ定められた開店時における収納枚数（残置金の枚数）に関する所定条件（例えば、第２閾値以上であるか、または、第２閾値以上かつ第３閾値以下であるか等）を満たしているかを判定する判定手段（例えば、残置金確認の一部（ステップＳ３等））とを備え、前記精査手段は、前記判定手段によって各貨幣の収納枚数が前記所定条件を満たしていると判定された後に、前記所定条件を満たしていると判定された各貨幣の収納枚数と、各貨幣の前記理論枚数とを比較し、各貨幣の収納枚数が正しいかを精査する（図８参照）ことを特徴とする販売データ処理装置。
【０１５９】
当該構成によれば、開店処理に要する時間があまり長くならないようになる。つまり、所定条件を満たしていると判定された各貨幣の収納枚数（すなわち、開店時の基準枚数として適当であると判定済の釣銭釣札機内の各貨幣の収納枚数）と、各貨幣の理論枚数とを比較し、各貨幣の収納枚数が正しいかを精査するようにしているため（すなわち、釣銭精査を行っているため）、基本的に、再度、釣銭精査を行う必要がなく（釣銭精査を２回以上行う必要がなく）、開店処理に要する時間があまり長くならないようになる。
【０１６０】
（付記２）
各貨幣の収納枚数を調整可能な調整手段（例えば、残置金確認の一部（ステップＳ５等））を備え、前記調整手段は、各貨幣の収納枚数が前記所定条件を満たすように収納枚数を調整可能であり、前記精査手段は、前記調整手段による調整後の各貨幣の収納枚数と、各貨幣の前記理論枚数とを比較し、各貨幣の収納枚数が正しいかを精査する（図８参照）ことを特徴とする付記１に記載の販売データ処理装置。
【０１６１】
当該構成によれば、開店処理に要する時間があまり長くならないようになる。つまり、所定条件を満たしていないと判定された場合（すなわち、開店時の基準枚数として適当ではない場合）には、所定条件を満たすように収納枚数を調整可能であり、調整後の各貨幣の収納枚数と、各貨幣の前記理論枚数とを比較し、各貨幣の収納枚数が正しいかを精査するため、例えば、所定条件を満たしていないと判定された場合であっても、基本的に、釣銭精査は１回で済み（釣銭精査を２回以上行う必要がなく）、開店処理に要する時間があまり長くならないようになる。
【０１６２】
（付記３）
媒体上（伝票）のコード情報を読み取る読取手段を備え、前記調整手段は、前記読取手段が読み取った前記コード情報に基づいて、貨幣の投入を受け付けることにより、または、貨幣を放出することにより、各貨幣の収納枚数が前記所定条件を満たすように収納枚数を調整可能であることを特徴とする付記２に記載の販売データ処理装置。
【０１６３】
当該構成によれば、開店処理に要する時間があまり長くならないようになる。つまり、簡便に収納枚数を調整することができるため、所定条件を満たしていないと判定された場合（すなわち、開店時の基準枚数として適当ではない場合）であっても、開店処理に要する時間があまり長くならないようになる。
【０１６４】
（付記４）
収納されている貨幣の枚数を計数する計数手段と、前記計数手段によって計数された各貨幣の収納枚数と、各取引の入出金情報に基づいた各貨幣の枚数である理論枚数とを比較し、各貨幣の収納枚数が正しいかを精査する精査手段と、前記計数手段によって計数された各貨幣の収納枚数が、各貨幣についてあらかじめ定められた開店時における収納枚数に関する所定条件を満たしているかを判定する判定手段とを備え、前記計数手段によって計数された各貨幣の収納枚数が前記所定条件を満たしているかを前記判定手段が判定した後に、前記判定手段によって前記所定条件を満たしていると判定された各貨幣の収納枚数と各貨幣の前記理論枚数と比較し各貨幣の収納枚数が正しいかを前記精査手段が精査する第１動作モード（残置金確認後釣銭精査（精査モードＡ）等。図１０（ａ）、図８参照）と、前記計数手段によって計数された各貨幣の収納枚数と各貨幣の前記理論枚数と比較し各貨幣の収納枚数が正しいかを前記精査手段が精査した後に、前記精査手段によって正しいと精査された各貨幣の収納枚数が前記所定条件を満たしているかを前記判定手段が判定する第２動作モード（釣銭精査後残置金確認（精査モードＢ）等。図１０（ｂ）、図１３参照）とを有することを特徴とする販売データ処理装置。
【０１６５】
当該構成によれば、開店処理に要する時間があまり長くならないようになる。つまり、好適なモードにて処理を実行させることができるため、開店処理に要する時間があまり長くならないようになる。
【０１６６】
（付記５）
販売データ処理装置としてのコンピュータを機能させるプログラムであって、収納されている貨幣の枚数を計数する計数手段、前記計数手段によって計数された各貨幣の収納枚数と、各取引の入出金情報に基づいた各貨幣の枚数である理論枚数とを比較し、各貨幣の収納枚数が正しいかを精査する精査手段、前記計数手段によって計数された各貨幣の収納枚数が、各貨幣についてあらかじめ定められた開店時における収納枚数に関する所定条件を満たしているかを判定する判定手段として機能させ、前記精査手段は、前記判定手段によって各貨幣の収納枚数が前記所定条件を満たしていると判定された後に、前記所定条件を満たしていると判定された各貨幣の収納枚数と、各貨幣の前記理論枚数とを比較し、各貨幣の収納枚数が正しいかを精査することを特徴とするプログラム。
【０１６７】
（付記６）
販売データ処理装置における精査方法であって、収納されている貨幣の枚数を計数する計数ステップと、前記計数ステップによって計数された各貨幣の収納枚数と、各取引の入出金情報に基づいた各貨幣の枚数である理論枚数とを比較し、各貨幣の収納枚数が正しいかを精査する精査ステップと、前記計数ステップによって計数された各貨幣の収納枚数が、各貨幣についてあらかじめ定められた開店時における収納枚数に関する所定条件を満たしているかを判定する判定ステップとを有し、前記精査ステップは、前記判定ステップによって各貨幣の収納枚数が前記所定条件を満たしていると判定された後に、前記所定条件を満たしていると判定された各貨幣の収納枚数と、各貨幣の前記理論枚数とを比較し、各貨幣の収納枚数が正しいかを精査することを特徴とする精査方法。
【符号の説明】
【０１６８】
１…ＰＯＳシステム
２…ＰＯＳレジスタ
３…監視装置
４…ストアコントローラ
１１…ＣＰＵ
１２…ＲＯＭ
１３…ＲＡＭ
１４…店員用表示部
１５…キー操作部
１６…客用表示部
１７…釣銭釣札機
１８…スキャナ部
１９…印刷部
２０…通信部
２２…ハードディスク
【図１】
2020086702.tif 000003
【図２】
2020086702.tif 000004
【図３】
2020086702.tif 000005
【図４】
2020086702.tif 000006
【図５】
2020086702.tif 000007
【図６】
2020086702.tif 000008
【図７】
2020086702.tif 000009
【図８】
2020086702.tif 000010
【図９】
2020086702.tif 000011
【図１０】
2020086702.tif 000012
【図１１】
2020086702.tif 000013
【図１２】
2020086702.tif 000014
【図１３】
2020086702.tif 000015